(57)【要約】【課題】機器本体１に電源が投入されていない状況においても、常にリモコン装置９の探索を容易とすることが出来る電子機器を提供する。【解決手段】本発明に係るリモコン機能付き電子機器は、機器本体１と、該機器本体１に対してリモコン信号を送信するリモコン装置９とから構成され、機器本体１は、機器本体に電源が投入されているか否かを報知するためのＬＥＤ装置22と、リモコン装置９へロケータ信号を送信するロケータ送信部17と、制御部とを具えている。一方、リモコン装置９は、機器本体１から送られてくるロケータ信号を受信するロケータ受信部94と、ロケータ信号の受信に応じて動作する音声発生部96とを具えている。前記機器本体１の制御部は、少なくとも機器本体１に電源が投入されていない状態では、ロケータ送信部17からロケータ信号が送信された場合に、ＬＥＤ装置22の点灯状態を変化させる。【選択図】図１
2009055400.tif 000002
【特許請求の範囲】
【請求項１】
機器本体と、該機器本体に対してリモートコントロール信号を送信するリモートコントロール装置とから構成され、機器本体は、機器本体に電源が投入されているか否かを報知するための点灯手段と、該点灯手段の点灯を制御する制御手段と、リモートコントロール装置へロケータ信号を送信するロケータ送信手段とを具える一方、リモートコントロール装置は、機器本体から送られてくるロケータ信号を受信するロケータ受信手段と、該ロケータ受信手段によるロケータ信号の受信に応じて動作する報知手段とを具えている電子機器において、
前記機器本体の制御手段は、少なくとも機器本体に電源が投入されていない状態では、ロケータ送信手段からロケータ信号が送信された場合に、前記点灯手段の点灯状態を変化させることを特徴とするリモートコントロール機能付き電子機器。
【請求項２】
前記機器本体の制御手段は、ロケータ信号の送信中でないときには前記点灯手段を常に点灯し、ロケータ信号の送信中には前記点灯手段を点滅させる請求項１に記載のリモートコントロール機能付き電子機器。
【請求項３】
前記機器本体の制御手段は、ロケータ信号の送信中には、前記点灯手段をロケータ信号の送信中でないときとは異なる色で点灯する請求項１に記載のリモートコントロール機能付き電子機器。
【請求項４】
前記機器本体の制御手段は、機器本体に電源が投入されている状態では、ロケータ信号の送信中に、リモートコントロール装置の探索中である旨の表示信号を出力する請求項１乃至請求項３の何れかに記載のリモートコントロール機能付き電子機器。
【発明の詳細な説明】
【技術分野】
【０００１】
本発明は、テレビジョン受像機、カーナビゲーション装置、オーディオプレーヤ等の電子機器に関し、特にリモートコントロール装置を具えて遠隔制御の可能な電子機器に関するものである。
【背景技術】
【０００２】
従来、リモートコントロール装置を紛失した場合に該リモートコントロール装置を探索することが可能なリモートコントロール(以下、リモコンという)機能付きの電子機器が提案されている(特許文献１〜５)。
この様な電子機器においては、ユーザが機器本体を操作することにより、リモコン装置を探索するためのリモコン探索信号(ロケータ信号)が機器本体から発せられ、該ロケータ信号をリモコン装置が受信すると、該リモコン装置が音声を発することでその位置を報知する。
【０００３】
例えば図４に示すテレビジョン受像機は、テレビジョン受像機本体(３)とリモコン装置(９)から構成されており、テレビジョン受像機本体(３)は、リモコン受光部(40)とロケータ送信アンテナ(38)とを具える一方、リモコン装置(９)は、リモコン送信部(95)とロケータ受信アンテナ(93)とを具えている。
【０００４】
テレビジョン受像機本体(３)は、ディスプレイ(33)と、スピーカ(35)と、チューナ(図示省略)によって受信されたテレビジョン放送信号に含まれる映像信号に所定の信号処理を施してディスプレイ(33)に供給する映像信号処理部(34)と、該テレビジョン放送信号に含まれる音声信号に所定の信号処理を施してスピーカ(35)に供給する音声信号処理部(36)と、マイクロコンピュータから構成される本体制御部(31)及び電源制御部(32)とを具え、本体制御部(31)は、電源制御部(32)から制御指令を受けて、映像信号処理部(34)及び音声信号処理部(36)を含む機器全体の動作を制御する。
【０００５】
又、テレビジョン受像機本体(３)は、機器本体に電源が投入されているか否かを報知するためのＬＥＤ装置(42)と、電源制御部(32)及びＬＥＤ装置(42)に対する電力供給を行なう電源部(43)とを具えており、電源制御部(32)及びＬＥＤ装置(42)には、機器本体に電源が投入されていない状態においても電源部(43)から電力が供給される。ＬＥＤ装置(42)は、緑色の発光ダイオードと赤色の発光ダイオードとを具えており、電源制御部(32)は、機器本体に電源が投入されているときに緑色の発光ダイオードを常に点灯し、機器本体に電源が投入されていないときには赤色の発光ダイオードを常に点灯する。
【０００６】
更に、テレビジョン受像機本体(３)は、ロケータ送信アンテナ(38)へロケータ信号を送信するロケータ送信部(37)と、リモコン装置(９)を探索するときに操作すべきロケータ起動スイッチ(41)とを具え、前記電源制御部(32)は、ロケータ起動スイッチ(41)の操作信号を受けて、ロケータ送信部(37)に対してロケータ信号の送信を指令した後、リモコン装置(９)の探索中である旨のＯＳＤ信号を映像信号処理部(34)に出力する。
【０００７】
一方、リモコン装置(９)は、マイクロコンピュータから構成される制御部(91)と、ロケータ受信アンテナ(93)を通じてロケータ信号を受信するロケータ受信部(94)と、選局操作等を行なうためのリモコン操作キー(92)と、所定の音声を発する音声発生部(96)とを具え、ロケータ受信部(94)によってロケータ信号が受信されると、制御部(91)は音声発生部(96)に音声の発生を指令する。
【０００８】
上記テレビジョン受像機においては、リモコン装置(９)を紛失したとき、ユーザがロケータ起動スイッチ(41)を操作すれば、テレビジョン受像機本体(３)からリモコン装置(９)へロケータ信号が送信され、ロケータ信号の送信中は、リモコン装置(９)の探索中である旨がディスプレイ(33)に表示される。そして、該ロケータ信号を受信したリモコン装置(９)の音声発生部(96)が動作することにより、リモコン装置(９)の位置がユーザに報知される。
【０００９】
【特許文献１】特開平６−１６５２６７号公報［H04Q9/00］
【特許文献２】実開平６−５２２９３号公報［H04Q9/00］
【特許文献３】特開２００１−６９５７９号公報［H04Q9/00］
【特許文献４】特開２００２−３２０２７９号公報［H04Q9/00］
【特許文献５】特開２００４−３２８７５８９号公報［H04Q9/00］
【発明の開示】
【発明が解決しようとする課題】
【００１０】
しかしながら、リモコン装置の探索が可能な従来の電子機器、例えばテレビジョン受像機においては、テレビジョン受像機本体(３)に電源が投入されていないときには、消費電力を節減すべく、テレビジョン受像機本体(３)からロケータ信号が送信されていても電源をオンに設定してリモコン装置の探索中である旨をディスプレイ(33)に表示することは行なわれないので、ユーザは、テレビジョン受像機本体(３)から無線信号であるロケータ信号が送信されているか否かを知ることが出来ない。
リモコン装置(９)の探索時に、例えばユーザがロケータ起動スイッチ(41)を押し損ねた場合、テレビジョン受像機本体(３)からロケータ信号が送信されないため、リモコン装置(９)により報知動作が行なわれない。この場合に、ユーザは、テレビジョン受像機本体(３)からロケータ信号が送信されていないことを知ることが出来ないため、リモコン装置(９)が近くに存在するにも拘わらず、リモコン装置(９)がロケータ信号の届かない場所、例えば別の部屋に存在すると誤認する虞があり、この結果、リモコン装置(９)の探索が極めて困難となる問題がある。
そこで本発明の目的は、機器本体に電源が投入されていない状況においても、常にリモコン装置の探索を容易とすることが出来る電子機器を提供することである。
【課題を解決するための手段】
【００１１】
本発明に係るリモコン機能付き電子機器は、機器本体と、該機器本体に対してリモートコントロール信号を送信するリモートコントロール装置とから構成され、機器本体は、機器本体に電源が投入されているか否かを報知するための点灯手段と、該点灯手段の点灯を制御する制御手段と、リモートコントロール装置へロケータ信号を送信するロケータ送信手段とを具える一方、リモートコントロール装置は、機器本体から送られてくるロケータ信号を受信するロケータ受信手段と、該ロケータ受信手段によるロケータ信号の受信に応じて動作する報知手段とを具えている。
そして、前記機器本体の制御手段は、少なくとも機器本体に電源が投入されていない状態では、ロケータ送信手段からロケータ信号が送信された場合に、前記点灯手段の点灯状態を変化させる。
【００１２】
上記リモコン機能付き電子機器においては、リモコン装置を探索するべく、機器本体からリモコン装置へロケータ信号が送信されると、リモコン装置によってロケータ信号が受信されて報知手段が動作し、音声の発生、振動の発生、若しくは光の発生、或いはこれらの組合せによって、リモコン装置の位置がユーザに報知される。
【００１３】
少なくとも機器本体に電源が投入されていない状態では、上述の如くロケータ信号が送信されると、点灯手段の点灯状態が変化する。ここで、点灯状態の変化には、消灯状態から点灯状態への変化、及び点灯状態から消灯状態への変化も含まれる。
これに対し、例えばユーザがロケータ信号を送信するための操作をし損ねてロケータ信号が送信されない場合は、点灯手段の点灯状態は変化しない。従って、ユーザは、点灯手段の点灯状態に変化がないことをもってロケータ信号が送信されていないことを知ることが出来、その後、再びロケータ信号を送信するための操作を行なえば、リモコン装置を容易に探索することが出来る。
上記リモコン機能付き電子機器によれば、機器本体に電源が投入されているか否かを報知するための点灯手段をロケータ信号の送信の有無を報知するための点灯手段として兼用することが出来るので、新規の部品や回路を増設する必要がなく、構成の複雑化及び製品コストの上昇を招くことはない。
【００１４】
具体的には、前記機器本体の制御手段は、ロケータ信号の送信中でないときには前記点灯手段を常に点灯し、ロケータ信号の送信中には前記点灯手段を点滅させる。従って、ユーザは、点灯手段が常に点灯している状態から点滅状態に変化しないことをもってロケータ信号が送信されていないことを知ることが出来る。
或いは、前記機器本体の制御手段は、ロケータ信号の送信中には、前記点灯手段をロケータ信号の送信中でないときとは異なる色で点灯する。従って、ユーザは、点灯手段の発光色が変化しないことをもってロケータ信号が送信されていないことを知ることが出来る。
【００１５】
又、具体的には、前記機器本体の制御手段は、機器本体に電源が投入されている状態では、ロケータ信号の送信中に、リモートコントロール装置の探索中である旨の表示信号を出力する。
【００１６】
上記具体的構成によれば、機器本体に電源が投入されている状態では、ロケータ信号の送信中に、リモコン装置の探索中である旨が該機器本体が具えている表示装置或いは該機器本体に接続されている表示装置に表示されるので、ユーザは該表示が行なわれないことをもってロケータ信号が送信されていないことを知ることが出来る。
【発明の効果】
【００１７】
本発明に係るリモコン機能付き電子機器によれば、機器本体に電源が投入されていない状況においても、常にリモコン装置の探索が容易となる。
【発明を実施するための最良の形態】
【００１８】
以下、本発明をテレビジョン受像機に実施した形態につき、図面に沿って具体的に説明する。
本発明に係るテレビジョン受像機は、図１に示す如くテレビジョン受像機本体(１)とリモコン装置(９)から構成され、テレビジョン受像機本体(１)は、赤外線のリモコン信号を受信するリモコン受光部(20)と、電波のロケータ信号を送信するロケータ送信アンテナ(18)とを具える一方、リモコン装置(９)は、赤外線のリモコン信号を送信するリモコン送信部(95)と、電波のロケータ信号を受信するロケータ受信アンテナ(93)とを具えている。
【００１９】
テレビジョン受像機本体(１)は、ディスプレイ(13)と、スピーカ(15)と、チューナ(図示省略)によって受信されたテレビジョン放送信号に含まれる映像信号に所定の信号処理を施してディスプレイ(13)に供給する映像信号処理部(14)と、該テレビジョン放送信号に含まれる音声信号に所定の信号処理を施してスピーカ(15)に供給する音声信号処理部(16)と、マイクロコンピュータから構成される本体制御部(11)及び電源制御部(12)とを具え、本体制御部(11)は、電源制御部(12)から制御指令を受けて、映像信号処理部(14)及び音声信号処理部(16)を含む機器全体の動作を制御する。
【００２０】
又、テレビジョン受像機本体(１)は、電源が投入されているか否かを報知するためのＬＥＤ装置(22)と、電源制御部(12)及びＬＥＤ装置(22)に対する電力供給を行なう電源部(23)とを具え、電源制御部(12)及びＬＥＤ装置(22)には、機器本体に電源が投入されていない状態においても電源部(23)から電力が供給される。ＬＥＤ装置(22)は、緑色の発光ダイオードと赤色の発光ダイオードとを具えており、電源制御部(12)は、機器本体に電源が投入されているときに緑色の発光ダイオードを常に点灯し、機器本体に電源が投入されていないときには赤色の発光ダイオードを常に点灯する。
【００２１】
更に、テレビジョン受像機本体(１)は、ロケータ送信アンテナ(18)へロケータ信号を送信するロケータ送信部(17)と、リモコン装置(９)を探索するときに操作すべきロケータ起動スイッチ(21)とを具えている。
【００２２】
前記電源制御部(12)は、機器本体が動作している状態(電源が投入されている状態)では、ロケータ起動スイッチ(21)の操作信号を受けて、ロケータ送信部(17)に対してロケータ信号の送信を指令した後、リモコン装置の探索中である旨のＯＳＤ信号を映像信号処理部(14)に出力する。
又、前記電源制御部(12)は、機器本体が動作していない状態(電源が投入されていない状態)では、ロケータ起動スイッチ(21)の操作信号を受けて、ロケータ送信部(17)に対してロケータ信号の送信を指令した後、ＬＥＤ装置(22)に対して赤色の発光ダイオードを点滅させるべき旨を指令する。
【００２３】
リモコン装置(９)は、マイクロコンピュータから構成される制御部(91)と、ロケータ受信アンテナ(93)を通じてロケータ信号を受信するロケータ受信部(94)と、選局操作等を行なうためのリモコン操作キー(92)と、所定の音声を発する音声発生部(96)とを具え、ロケータ受信部(94)によってロケータ信号が受信されると、制御部(91)は音声発生部(96)に音声の発生を指令する。
【００２４】
図２は、上記テレビジョン受像機本体(１)の電源制御部によるスイッチ入力処理手続きを表わしている。尚、該手続きは繰り返される。先ずステップＳ１にてスイッチ入力があったか否かを監視し、スイッチ入力があったとき、ステップＳ２にて、入力のあったスイッチがロケータ起動スイッチであるか否かを判断する。ここでノーと判断されたときはステップＳ３に移行して、入力されたスイッチに対応した処理を実行した後、手続きを終了する。
これに対し、ロケータ起動スイッチが操作されてステップＳ２にてイエスと判断されたときは、ステップＳ４に移行して、ロケータ送信部へロケータ信号の送信を指令して、手続きを終了する。
【００２５】
図３は、上記テレビジョン受像機本体(１)の電源制御部による報知手続きを表わしている。尚、該手続きは繰り返される。先ずステップＳ１１にて電源がオフであるか否か(本体制御部が起動されていない状態であるか否か)を判断し、ノーと判断されたときは、ステップＳ１４に移行して、ロケータ信号の送信中であるか否かを判断し、ノーと判断されたときは手続きを終了する一方、イエスと判断されたときはステップＳ１５に移行して、映像信号処理部へリモコン装置の探索中である旨のＯＳＤ信号を出力した後、手続きを終了する。
【００２６】
これに対し、機器本体の電源がオフに設定されていてステップＳ１１にてイエスと判断されたときは、ステップＳ１２にてロケータ信号の送信中であるか否かを判断し、ノーと判断されたときは手続きを終了する一方、イエスと判断されたときはステップＳ１３に移行して、ＬＥＤ装置へ赤色発光ダイオードを点滅させるべき旨の指令を出力した後、手続きを終了する。
【００２７】
上記テレビジョン受像機においては、テレビジョン受像機本体(１)に電源が投入されていない状態では、ＬＥＤ装置(22)の赤色発光ダイオードが常に点灯されており、この状態で、ロケータ起動スイッチ(21)を押下すれば、テレビジョン受像機本体(１)からリモコン装置(９)へロケータ信号が一定時間、例えば１０秒間送信され、該ロケータ信号の送信中は、ＬＥＤ装置(22)へ点滅指令が出力されて赤色発光ダイオードが所定の周期で点滅する。
【００２８】
又、テレビジョン受像機本体(１)に電源が投入されている状態、即ちディスプレイ(13)に映像が映し出されている状態では、ロケータ起動スイッチ(21)を押下すれば、テレビジョン受像機本体(１)からリモコン装置(９)へロケータ信号が例えば１０秒間送信され、該ロケータ信号の送信中は、映像信号処理部(14)へＯＳＤ信号が供給されて、リモコン装置の探索中である旨がディスプレイ(13)に表示される。
【００２９】
リモコン装置(９)では、上述の如くテレビジョン受像機本体(１)から送信されたロケータ信号が受信されて音声発生部(96)が一定時間、例えば４０秒間動作することにより、リモコン装置(９)の位置がユーザに報知される。尚、リモコン装置(９)から報知音が発せられている状態で該リモコン装置(９)を操作すれば、報知音の発生が強制的に停止する。
【００３０】
本発明に係るテレビジョン受像機においては、機器本体に電源が投入されていない状態では、ロケータ信号の送信中、ＬＥＤ装置(22)の赤色発光ダイオードが点滅状態となる。これに対し、例えばユーザがロケータ起動スイッチ(21)を押し損ねてロケータ信号が送信されない場合には、赤色発光ダイオードは点滅状態にならず、常に点灯した状態に維持されることになる。従って、ユーザは、ＬＥＤ装置(22)が点滅状態とならないことをもってロケータ信号が送信されていないことを知ることが出来、その後、再びロケータ起動スイッチ(21)を押下すれば、リモコン装置を容易に探索することが出来る。
【００３１】
本発明に係るテレビジョン受像機によれば、従来からテレビジョン受像機本体(１)に配備されているＬＥＤ装置(22)を利用して、ロケータ信号の送信の有無を報知するので、新たなＬＥＤ装置の配備は不要であり、構成の複雑化及び製品コストの上昇を招くことはない。
又、ＬＥＤ装置(22)を常に点灯している状態から点滅状態に変化させることによってロケータ信号の送信中であることを報知するので、消費電力が増大することはない。
【００３２】
尚、本発明の各部構成は上記実施の形態に限らず、特許請求の範囲に記載の技術的範囲内で種々の変形が可能である。
例えば、上記実施の形態においては、ロケータ信号の送信中でないときにはＬＥＤ装置(22)を常に点灯し、ロケータ信号の送信中は点滅させているが、ロケータ信号の送信中は、ＬＥＤ装置(22)をロケータ信号の送信中でないときとは異なる色で点灯する構成を採用することも可能である。かかる構成は、例えば、ロケータ信号の送信中でないときは赤色の発光ダイオードのみを点灯する一方、ロケータ信号の送信中は赤色の発光ダイオードと緑色の発光ダイオードを点灯することによって実現可能である。
又、上記実施の形態においては、機器本体に電源が投入されていない状態でのみ、ロケータ信号の送信中にＬＥＤ装置(22)を点滅させているが、機器本体に電源が投入されている状態においても点滅させることも可能である。
又、ロケータ信号受信時のリモコン装置(９)による報知は、音声の発生に限らず、振動の発生や光の発生によって行なうことも可能である。
更に、本発明はテレビジョン受像機に限らず、カーナビゲーション装置、オーディオプレーヤ等、種々の可搬型のリモートコントロール機能付き電子機器に実施することが可能である。
【図面の簡単な説明】
【００３３】
【図１】本発明に係るテレビジョン受像機の構成を示すブロック図である。
【図２】本発明に係るテレビジョン受像機本体の電源制御部によるスイッチ入力処理手続きを表わすフローチャートである。
【図３】上記電源制御部による報知手続きを表わすフローチャートである。
【図４】従来のテレビジョン受像機の構成を示すブロック図である。
【符号の説明】
【００３４】
(１)  テレビジョン受像機本体
(11)  本体制御部
(12)  電源制御部
(13)  ディスプレイ
(14)  映像信号処理部
(15)  スピーカ
(16)  音声信号処理部
(18)  ロケータ送信アンテナ
(20)  リモコン受光部
(21)  ロケータ起動スイッチ
(22)  ＬＥＤ装置
(23)  電源部
(９)  リモコン装置
(91)  制御部
(93)  ロケータ受信アンテナ
(95)  リモコン送信部
(96)  音声発生部
【図１】
2009055400.tif 000003
【図２】
2009055400.tif 000004
【図３】
2009055400.tif 000005
【図４】
2009055400.tif 000006